(57)【要約】【課題】  給湯装置の遠隔操作が可能で、かつ、文字情報の表示の必要性が低いときや表示の必要性がないときには、文字情報の非表示を行う等の省電力化を図ることができるリモコン装置を提供する。【解決手段】  給湯装置の回路に信号接続されて該給湯装置の遠隔操作を行なうリモコン装置１において、給湯装置の使用状況に基づき給湯装置の使用停止後から予め定めた設定時間が経過したときに表示画面３２に文字情報の表示が行われているときには、リモコン装置１を省電力モードの動作状態とし、この動作状態のときに給湯装置の使用が行われたときには省電力モードの動作状態を解除する。省電力モードの動作状態は、例えば、文字情報受信部４０の電源オンオフを繰り返す動作と、表示画面３２の文字情報表示を非表示状態とする動作の両方を行う状態とする。【選択図】        図３
2006029634.tif 000002
【特許請求の範囲】
【請求項１】
給湯先への給湯機能を具備した給湯装置の回路に信号接続されて該給湯装置の遠隔操作を行なうリモコン装置において、放送信号に含まれる文字情報信号を受信する文字情報受信部と、前記文字情報信号に基づく文字情報を表示する表示部と、前記文字情報の前記表示部への表示を指令する文字情報表示指令部とを有し、予め定めた省電力モード実行条件を満たしたときに前記表示部に文字情報の表示が行われているときには、前記文字情報受信部の電源をオフする動作と、前記表示部の文字情報表示を非表示状態とする動作の少なくとも一方を行うことによりリモコン装置を省電力モードの動作状態とする省電力モード実行部が設けられていることを特徴とするリモコン装置。
【請求項２】
省電力モード実行条件は、給湯装置の使用停止後から予め定めた設定時間が経過したこととした請求項１記載のリモコン装置。
【請求項３】
給湯装置は自動湯張りの指示に従って浴槽への湯張り動作を自動的に行なう機能と湯張り後の追い焚き機能とを備えており、省電力モード実行条件は湯張り関連情報から予め定めた設定時間が経過したこととした請求項１記載のリモコン装置。
【請求項４】
給湯装置は自動湯張りの指示に従って浴槽への湯張り動作と該湯張り動作の後の浴槽内の湯の保温動作とを行なう機能を備えており、省電力モード実行条件は給湯装置の前記保温動作の終了後から予め定めた設定時間が経過したこととした請求項１記載のリモコン装置。
【請求項５】
リモコン装置は、給湯設定温度を含む給湯関連設定事項を設定する給湯関連設定のスイッチと、給湯装置の運転に関する指令のための操作を行う運転関連操作のスイッチとの少なくとも一方を備え、省電力モード実行条件は前記スイッチの操作が行われない状態が予め定められた設定時間経過したこととした請求項１記載のリモコン装置。
【請求項６】
省電力モード実行部は、文字情報受信部の電源をオフする動作の代わりに、文字情報受信部の電源のオンとオフを予め定めた時間で交互に繰り返す動作と、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返す動作との、いずれか一方の繰り返し動作を行うことを特徴とする請求項１乃至請求項５のいずれか一つに記載のリモコン装置。
【請求項７】
省電力モードの動作状態のときに給湯装置の使用が行われたときには、省電力モードの動作状態を解除することを特徴とする請求項１乃至請求項６のいずれか一つに記載のリモコン装置。
【請求項８】
給湯設定温度を含む給湯関連設定事項を設定する給湯関連設定のスイッチと、給湯装置の運転に関する指令のための操作を行う運転関連操作のスイッチとの少なくとも一方を備え、省電力モードの動作状態のときに前記給湯関連設定のスイッチと前記運転関連操作のスイッチの少なくとも一方の操作が行われたときには、省電力モードの動作状態を解除することを特徴とする請求項１乃至請求項７のいずれか一つに記載のリモコン装置。
【請求項９】
給湯先への給湯機能を具備した給湯装置の回路に信号接続されて該給湯装置の遠隔操作を行なうリモコン装置において、オン操作によって給湯装置の遠隔操作を可能状態に設定し、オフ操作によってその遠隔操作の可能状態を解除する運転スイッチと、放送信号に含まれる文字情報信号を受信する文字情報受信部と、前記文字情報信号に基づく文字情報を表示する表示部と、前記文字情報の前記表示部への表示を指令する文字情報表示指令部とを有し、前記表示部に文字情報の表示が行われているときに前記運転スイッチのオフ操作が行われたときには、前記文字情報受信部の電源のオンとオフを予め定めた時間で交互に繰り返すか、前記文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに運転スイッチのオン操作が行われたときには省電力モードの動作状態を解除する省電力モード実行部が設けられていることを特徴とするリモコン装置。
【請求項１０】
浴室を含む給湯先への給湯機能を具備した給湯装置の回路に信号接続されて該給湯装置の遠隔操作を行なう浴室設置のリモコン装置において、オン操作によって給湯装置の湯張り動作と該湯張り動作の後の浴槽内の湯の保温動作とを行なう自動スイッチと、放送信号に含まれる文字情報信号を受信する文字情報受信部と、前記文字情報信号に基づく文字情報を表示する表示部と、前記文字情報の前記表示部への表示を指令する文字情報表示指令部とを有し、前記湯張り動作中または前記保温動作中に前記表示部に文字情報の表示が行われているときに前記自動スイッチのオフ操作が行われたときには、前記文字情報受信部の電源のオンとオフを予め定めた時間で交互に繰り返すか、前記文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作の少なくとも一方を行うことによりリモコン装置を省電力モードの動作状態とし、省電力モードの動作状態のときに自動スイッチのオン操作が行われたときには省電力モードの動作状態を解除する省電力モード実行部が設けられていることを特徴とするリモコン装置。
【請求項１１】
給湯先への給湯機能を具備した給湯装置の回路に信号接続されて該給湯装置の遠隔操作を行なうリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、前記文字情報の表示と非表示を選択する文字放送スイッチとを有し、前記表示部に文字情報の表示が行われているときに前記文字放送スイッチのオフ操作が行われたときには、前記文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作とを行うことによりリモコン装置を省電力モードの動作状態とし、該省電力モードの動作状態のときに前記文字放送スイッチのオン操作が行われたときには省電力モードの動作状態を解除する省電力モード実行部が設けられていることを特徴とするリモコン装置。
【請求項１２】
給湯先への給湯機能を具備した給湯装置の回路に信号接続されて該給湯装置の遠隔操作を行なうリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、浴槽の水位を検出する浴槽水位検出手段とを有し、該浴槽水位検出手段により人が浴槽から出ることによる水位下降が検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記浴槽水位検出手段により人の浴槽への入浴による水位上昇が検出されたときには省電力モードの動作状態を解除する省電力モード実行部が設けられていることを特徴とするリモコン装置。
【請求項１３】
給湯先への給湯機能を具備した給湯装置の回路に信号接続されて該給湯装置の遠隔操作を行なう浴室設置のリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、人の浴槽への入浴と人の浴槽からの出浴を検出する人検知センサとを有し、該人検知センサのセンサ出力に基づき人が浴槽から出たことが検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記人検知センサのセンサ出力に基づき人の浴槽への入浴を検出したときには省電力モードの動作状態を解除する省電力モード実行部が設けられていることを特徴とするリモコン装置。
【請求項１４】
給湯先への給湯機能を具備した給湯装置の回路に信号接続されて該給湯装置の遠隔操作を行なう浴室設置のリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、人の浴室への入室と人の浴室からの退室を検出する人検知センサとを有し、該人検知センサのセンサ出力に基づき人が浴室から出たことが検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記人検知センサのセンサ出力に基づき人の浴室への入室を検出したときには省電力モードの動作状態を解除する省電力モード実行部が設けられていることを特徴とするリモコン装置。
【請求項１５】
給湯先への給湯機能を具備した給湯装置の回路に信号接続されて該給湯装置の遠隔操作を行なう浴室設置のリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、浴室内の音を集音するマイクとを有し、該マイクの集音情報に基づき人が浴室から出たことが検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記マイクの集音情報に基づき人の浴室への入室を検出したときには省電力モードの動作状態を解除する省電力モード実行部が設けられていることを特徴とするリモコン装置。
【請求項１６】
給湯先への給湯機能を具備した給湯装置の回路に信号接続されて該給湯装置の遠隔操作を行なう台所設置のリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、人が台所を含む台所近傍領域に居るか否かを検出する人検知センサとを有し、該人検知センサのセンサ出力に基づき人が前記台所近傍領域から離れたことが検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記人検知センサのセンサ出力に基づき人が前記台所近傍領域にいることを検出したときには省電力モードの動作状態を解除する省電力モード実行部が設けられていることを特徴とするリモコン装置。
【請求項１７】
文字情報受信部が文字情報信号のうちの災害に関する災害文字情報信号を受信したときに表示部の文字情報表示が非表示状態のときには、該非表示状態を解除して表示部に前記災害文字情報信号に基づく災害文字情報を表示可能にする災害情報表示指令部が設けられていることを特徴とする請求項６乃至請求項１６のいずれか一つに記載のリモコン装置。
【請求項１８】
文字情報受信部の電源のオンとオフを予め定めた時間で交互に繰り返す動作と、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返す動作とのいずれか一方の動作中に前記文字情報受信部が文字情報信号のうちの災害に関する災害文字情報信号を受信したときには、該災害情報信号に基づく災害情報を予め定めた設定表示時間または設定回数表示する指令を行う災害情報受信時動作制御部が設けられていることを特徴とする請求項６乃至請求項１７のいずれか一つに記載のリモコン装置。
【請求項１９】
文字情報受信部の電源のオンとオフを予め定めた時間で交互に繰り返す動作を予め定めたオンオフ繰り返し設定時間または設定回数経過しても前記文字情報受信部による文字情報信号の受信が行われないときには前記文字情報受信部の電源を予め定めた電源オフ設定時間オフさせる文字情報受信部電源オフ制御部が設けられていることを特徴とする請求項６乃至請求項１８のいずれか一つに記載のリモコン装置。
【請求項２０】
表示部は給湯設定温度を含む給湯関連情報と文字情報とを切り替え表示する構成と成し、前記給湯関連情報と前記文字情報との相互の画面切り替えとその切り替えタイミングを指令制御する画面切替表示制御部と、この画面切替表示制御部の指令に応じて前記表示部の文字情報の表示と給湯関連情報の表示との切り替え表示を制御する表示制御部とを有することを特徴とする請求項１乃至請求項１９のいずれか一つに記載のリモコン装置。
【発明の詳細な説明】
【技術分野】
【０００１】
本発明は、給湯装置を遠隔操作するリモコン装置に関するものである。
【背景技術】
【０００２】
給湯装置を遠隔操作するリモコン装置が、浴室や台所に設置され、このリモコン装置の表示画面に給湯や湯張りの設定温度、浴槽水位等の給湯関連情報を表示することは一般に行なわれているが、最近においては、特許文献１〜３等に示されるように、これらの給湯関連情報以外に、ＦＭ文字多重放送等の文字情報を表示画面に表示することが提案されている。このように、リモコン装置の表示画面に文字情報を表示するようにすることにより、ＦＭ文字多重放送等（以下、文字放送という）専用の受信表示画面をリモコン装置とは別個に用意することなく、浴室や台所で、文字放送を楽しむことができることとなる。
【０００３】
【特許文献１】特開２００１−１５７２７４号公報
【特許文献２】特開２００２−１３５８６３号公報
【特許文献３】特開平１０−２２９５８５号公報
【発明の開示】
【発明が解決しようとする課題】
【０００４】
浴室や台所でリモコン装置によって文字放送を楽しむことができるが、特に、風呂を利用する場合には、人が浴槽に浸かっている時間が長く、その時間は慌しいこともなくゆったりとした気分で浴室に設置されるリモコン装置（風呂リモコン装置）の画面を見ることができるので、浴室での文字放送の利用性は高い。
【０００５】
本発明者はこのような事情から、特に浴室に設置されるリモコン装置の利便性をさらに充実させるための検討を試みた結果、次のような課題解決の必要性に直面した。すなわち、浴槽に浸かってリモコン装置の表示画面上の文字情報を見る場合、表示画面までの距離が少し長くなるので、文字情報の文字を大きく表示することが望ましい。そのためには、表示画面を大きくすればよいが、そうすると、リモコン装置が大型化し、浴室の利用空間が狭められるので好ましくなく、リモコン装置を大型化せずに文字情報を大きい文字で浴槽から見易いようにすることが必要である。
【０００６】
なお、リモコン装置を大型化せずに文字情報を大きい文字で見易いようにすることは台所に設置されるリモコン装置においても同様に要請されるものである。
【０００７】
また、風呂を利用する場合はゆったりした気分でくつろぎたいことから、特に、風呂の利用の際に、文字放送を表示画面に表示させたり非表示にしたりするための煩雑な操作を無くすことが必要であり、好ましくは、風呂を利用する人は何の操作も必要とせずに、リモコン装置側が人の風呂利用を自動的に感知して表示画面に文字情報を表示させ、風呂から出たときにはそれを自動的に感知して必要がなくなった文字情報の表示を非表示とすることが必要である。
【０００８】
さらに、現在、例えば給湯装置が使用されていない時間が長いときに給湯設定温度や浴槽湯水温度等給湯関連情報の表示が行われている場合、この表示を非表示状態としてリモコン装置の省電力化を行うことは行われているが、文字情報表示については省電力化を図るようなことは提案されていないので、今後、文字情報表示についても、省電力化を図ることができる装置の必要性は高いと考えられる。
【０００９】
つまり、給湯装置の利用者は、風呂を利用する場合はゆったりした気分でくつろいでいることから、文字情報の表示を見た後、そのままの状態で浴室から出てしまう可能性が高く、誰も見ていない文字情報を継続して表示し続けるとエネルギーの無駄であり、一方、給湯装置の利用者は、台所を利用する場合は忙しく料理等を行うため、その合間に文字情報表示を見て、そのままの状態で台所から出てしまうことがあり、上記と同様に、誰も見ていない文字情報を継続して表示し続けるとエネルギーの無駄であり、これらのエネルギーの無駄を省くことは、非常に重要であると考えられる。
【００１０】
本発明は上記課題を解決するためになされたものであり、その目的は、文字情報の表示の必要性が低いときや表示の必要性がないときには、文字情報の非表示を行う等の省電力化を図ることができ、好ましくは、リモコン装置を小型にするにも拘わらず大きな文字で浴槽に浸かっている人等が見やすいように文字情報を表示することができ、しかも、風呂等の利用者に文字情報を表示したり非表示にしたりするための煩雑な操作を強いることのない利便性に優れたリモコン装置を提供することにある。
【課題を解決するための手段】
【００１１】
本発明は上記目的を達成するために、次の構成をもって課題を解決する手段としている。すなわち、第１の発明は、給湯先への給湯機能を具備した給湯装置の回路に信号接続されて該給湯装置の遠隔操作を行なうリモコン装置において、放送信号に含まれる文字情報信号を受信する文字情報受信部と、前記文字情報信号に基づく文字情報を表示する表示部と、前記文字情報の前記表示部への表示を指令する文字情報表示指令部とを有し、予め定めた省電力モード実行条件を満たしたときに前記表示部に文字情報の表示が行われているときには、前記文字情報受信部の電源をオフする動作と、前記表示部の文字情報表示を非表示状態とする動作の少なくとも一方を行うことによりリモコン装置を省電力モードの動作状態とする省電力モード実行部が設けられている構成をもって課題を解決する手段としている。
【００１２】
また、第２の発明は、上記第１の発明の構成に加え、前記省電力モード実行条件は、給湯装置の使用停止後から予め定めた設定時間が経過したこととした構成をもって課題を解決する手段としている。
【００１３】
さらに、第３の発明は、上記第１の発明の構成に加え、前記給湯装置は自動湯張りの指示に従って浴槽への湯張り動作を自動的に行なう機能と湯張り後の追い焚き機能とを備えており、省電力モード実行条件は湯張り関連情報から予め定めた設定時間が経過したこととした構成をもって課題を解決する手段としている。なお、ここで言う、湯張り関連情報とは、例えば、湯張り開始、湯張り終了５分前、湯張り終了時、湯張り終了後の追い焚き後、等のことである。
【００１４】
さらに、第４の発明は、上記第１の発明の構成に加え、前記給湯装置は自動湯張りの指示に従って浴槽への湯張り動作と該湯張り動作の後の浴槽内の湯の保温動作とを行なう機能を備えており、省電力モード実行条件は給湯装置の前記保温動作の終了後から予め定めた設定時間が経過したこととした構成をもって課題を解決する手段としている。
【００１５】
さらに、第５の発明は、上記第１の発明の構成に加え、リモコン装置は、給湯設定温度を含む給湯関連設定事項を設定する給湯関連設定のスイッチと、給湯装置の運転に関する指令のための操作を行う運転関連操作のスイッチとの少なくとも一方を備え、省電力モード実行条件は前記スイッチの操作が行われない状態が予め定められた設定時間経過したこととした構成をもって課題を解決する手段としている。
【００１６】
さらに、第６の発明は、上記第１乃至第５のいずれか一つの発明の構成に加え、前記省電力モード実行部は、文字情報受信部の電源をオフする動作の代わりに、文字情報受信部の電源のオンとオフを予め定めた時間で交互に繰り返す動作と、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返す動作との、いずれか一方の繰り返し動作を行う構成をもって課題を解決する手段としている。
【００１７】
なお、スリープモードは、リモコン本体のＣＰＵクロックのスピードは落とさないで動作させ、文字情報受信部のＣＰＵクロックのスピードを落とす動作モードであり、スタンバイモードは、リモコン本体のＣＰＵクロックのスピードは落とさないで動作させ、文字情報受信部のＣＰＵクロックを止める動作モードのことである。これらスリープモードまたはスタンバイモードと通常モードとの繰り返し動作とは、文字情報受信部のＣＰＵクロックのスピードを落とす、または文字放送用のＣＰＵクロックを止める動作と、文字情報受信部のＣＰＵクロックを通常のスピードで稼動する動作とを繰り返すことをいう。
【００１８】
さらに、第７の発明は、上記第１乃至第６のいずれか一つの発明の構成に加え、前記省電力モードの動作状態のときに給湯装置の使用が行われたときには、省電力モードの動作状態を解除する構成をもって課題を解決する手段としている。
【００１９】
さらに、第８の発明は、上記第１乃至第７のいずれか一つの発明の構成に加え、給湯設定温度を含む給湯関連設定事項を設定する給湯関連設定のスイッチと、給湯装置の運転に関する指令のための操作を行う運転関連操作のスイッチとの少なくとも一方を備え、省電力モードの動作状態のときに前記給湯関連設定スイッチと前記運転関連操作スイッチの少なくとも一方の操作が行われたときには、省電力モードの動作状態を解除する構成をもって課題を解決する手段としている。
【００２０】
なお、運転関連操作のスイッチは、例えば自動スイッチを始め、追い焚きスイッチ、タイマ予約スイッチ、注水スイッチ等、様々なスイッチを含むものであり、個々の給湯装置に適宜設けられる。
【００２１】
さらに、第９の発明は、給湯先への給湯機能を具備した給湯装置の回路に信号接続されて該給湯装置の遠隔操作を行なうリモコン装置において、オン操作によって給湯装置の遠隔操作を可能状態に設定し、オフ操作によってその遠隔操作の可能状態を解除する運転スイッチと、放送信号に含まれる文字情報信号を受信する文字情報受信部と、前記文字情報信号に基づく文字情報を表示する表示部と、前記文字情報の前記表示部への表示を指令する文字情報表示指令部とを有し、前記表示部に文字情報の表示が行われているときに前記運転スイッチのオフ操作が行われたときには、前記文字情報受信部の電源のオンとオフを予め定めた時間で交互に繰り返すか、前記文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに運転スイッチのオン操作が行われたときには省電力モードの動作状態を解除する省電力モード実行部が設けられている構成をもって課題を解決する手段としている。
【００２２】
さらに、第１０の発明は、浴室を含む給湯先への給湯機能を具備した給湯装置の回路に信号接続されて該給湯装置の遠隔操作を行なう浴室設置のリモコン装置において、オン操作によって給湯装置の湯張り動作と該湯張り動作の後の浴槽内の湯の保温動作とを行なう自動スイッチと、放送信号に含まれる文字情報信号を受信する文字情報受信部と、前記文字情報信号に基づく文字情報を表示する表示部と、前記文字情報の前記表示部への表示を指令する文字情報表示指令部とを有し、前記湯張り動作中または前記保温動作中に前記表示部に文字情報の表示が行われているときに前記自動スイッチのオフ操作が行われたときには、前記文字情報受信部の電源のオンとオフを予め定めた時間で交互に繰り返すか、前記文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作の少なくとも一方を行うことによりリモコン装置を省電力モードの動作状態とし、省電力モードの動作状態のときに自動スイッチのオン操作が行われたときには省電力モードの動作状態を解除する省電力モード実行部が設けられている構成をもって課題を解決する手段としている。
【００２３】
さらに、第１１の発明は、給湯先への給湯機能を具備した給湯装置の回路に信号接続されて該給湯装置の遠隔操作を行なうリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、前記文字情報の表示と非表示を選択する文字放送スイッチとを有し、前記表示部に文字情報の表示が行われているときに前記文字放送スイッチのオフ操作が行われたときには、前記文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作とを行うことによりリモコン装置を省電力モードの動作状態とし、該省電力モードの動作状態のときに前記文字放送スイッチのオン操作が行われたときには省電力モードの動作状態を解除する省電力モード実行部が設けられている構成をもって課題を解決する手段としている。
【００２４】
さらに、第１２の発明は、給湯先への給湯機能を具備した給湯装置の回路に信号接続されて該給湯装置の遠隔操作を行なうリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、浴槽の水位を検出する浴槽水位検出手段とを有し、該浴槽水位検出手段により人が浴槽から出ることによる水位下降が検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記浴槽水位検出手段により人の浴槽への入浴による水位上昇が検出されたときには省電力モードの動作状態を解除する省電力モード実行部が設けられている構成をもって課題を解決する手段としている。
【００２５】
さらに、第１３の発明は、給湯先への給湯機能を具備した給湯装置の回路に信号接続されて該給湯装置の遠隔操作を行なう浴室設置のリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、人の浴槽への入浴と人の浴槽からの出浴を検出する人検知センサとを有し、該人検知センサのセンサ出力に基づき人が浴槽から出たことが検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記人検知センサのセンサ出力に基づき人の浴槽への入浴を検出したときには省電力モードの動作状態を解除する省電力モード実行部が設けられている構成をもって課題を解決する手段としている。
【００２６】
さらに、第１４の発明は、給湯先への給湯機能を具備した給湯装置の回路に信号接続されて該給湯装置の遠隔操作を行なう浴室設置のリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、人の浴室への入室と人の浴室からの退室を検出する人検知センサとを有し、該人検知センサのセンサ出力に基づき人が浴室から出たことが検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記人検知センサのセンサ出力に基づき人の浴室への入室を検出したときには省電力モードの動作状態を解除する省電力モード実行部が設けられている構成をもって課題を解決する手段としている。
【００２７】
さらに、第１５の発明は、給湯先への給湯機能を具備した給湯装置の回路に信号接続されて該給湯装置の遠隔操作を行なう浴室設置のリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、浴室内の音を集音するマイクとを有し、該マイクの集音情報に基づき人が浴室から出たことが検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記マイクの集音情報に基づき人の浴室への入室を検出したときには省電力モードの動作状態を解除する省電力モード実行部が設けられている構成をもって課題を解決する手段としている。
【００２８】
さらに、第１６の発明は、給湯先への給湯機能を具備した給湯装置の回路に信号接続されて該給湯装置の遠隔操作を行なう台所設置のリモコン装置において、放送信号に含まれる文字情報信号を受信する文字情報受信部と、前記文字情報信号に基づく文字情報を表示する表示部と、前記文字情報の前記表示部への表示を指令する文字情報表示指令部と、人が台所を含む台所近傍領域に居るか否かを検出する人検知センサとを有し、該人検知センサのセンサ出力に基づき人が前記台所近傍領域から離れたことが検出されてから予め定めた省電力移行設定待機時間が経過したときに前記表示部に文字情報の表示が行われているときには、文字情報受信部の電源のオンとオフを予め定めた時間で交互に繰り返すか、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の文字情報表示を非表示状態とする動作との少なくとも一方を行うことによりリモコン装置を省電力モードの動作状態とし、該省電力モードの動作状態のときに前記人検知センサのセンサ出力に基づき人が前記台所近傍領域にいることを検出したときには省電力モードの動作状態を解除する省電力モード実行部が設けられている構成をもって課題を解決する手段としている。
【００２９】
さらに、第１７の発明は、上記第６乃至第１６のいずれか一つの発明の構成に加え、前記文字情報受信部が文字情報信号のうちの災害に関する災害文字情報信号を受信したときに表示部の文字情報表示が非表示状態のときには、該非表示状態を解除して表示部に前記災害文字情報信号に基づく災害文字情報を表示可能にする災害情報表示指令部が設けられている構成をもって課題を解決する手段としている。
【００３０】
さらに、第１８の発明は、上記第６乃至第１７のいずれか一つの発明の構成に加え、前記文字情報受信部の電源のオンとオフを予め定めた時間で交互に繰り返す動作と、文字情報受信部を通常稼動用の消費電力で稼動する通常モードと文字情報受信部を前記通常稼動用の消費電力より小さい低消費電力で稼動するスリープモードまたはスタンバイモードとを予め定めた時間で交互に繰り返す動作とのいずれか一方の動作中に前記文字情報受信部が文字情報信号のうちの災害に関する災害文字情報信号を受信したときには、該災害情報信号に基づく災害情報を予め定めた設定表示時間または設定回数表示する指令を行う災害情報受信時動作制御部が設けられている構成をもって課題を解決する手段としている。
【００３１】
さらに、第１９の発明は、上記第６乃至第１８のいずれか一つの発明の構成に加え、前記文字情報受信部の電源のオンとオフを予め定めた時間で交互に繰り返す動作を予め定めたオンオフ繰り返し設定時間または設定回数経過しても前記文字情報受信部による文字情報信号の受信が行われないときには前記文字情報受信部の電源を予め定めた電源オフ設定時間オフさせる文字情報受信部電源オフ制御部が設けられている構成をもって課題を解決する手段としている。
【００３２】
さらに、第２０の発明は、上記第１乃至第１９のいずれか一つの発明の構成に加え、前記表示部は給湯設定温度を含む給湯関連情報と文字情報とを切り替え表示する構成と成し、前記給湯関連情報と前記文字情報との相互の画面切り替えとその切り替えタイミングを指令制御する画面切替表示制御部と、この画面切替表示制御部の指令に応じて前記表示部の文字情報の表示と給湯関連情報の表示との切り替え表示を制御する表示制御部とを有する構成をもって課題を解決する手段としている。
【発明の効果】
【００３３】
本発明によれば、リモコン装置を、以下のようにして、適宜、省電力モードの動作状態とする省電力モード実行部が設けられているので、例えば文字情報を表示部に非表示にするための煩雑な操作をしなくても、文字情報の表示の必要性が低いときや表示の必要性がないときには、文字情報を非表示状態としたり、文字情報受信部の電源制御や消費電力の制御を行ったりする等の省電力動作を行え、以下のように、省電力のリモコン装置を実現できる。
【００３４】
つまり、本発明において、予め定めた省電力モード実行条件を満たしたときに前記表示部に文字情報の表示が行われているときには、前記文字情報受信部の電源をオフする動作と、前記表示部の文字情報表示を非表示状態とする動作の少なくとも一方を行うことにより、リモコン装置を省電力モードの動作状態とする構成によれば、予め定めた省電力モード実行条件を満たしたときに省電力モードを実行して、文字情報を非表示状態としたり、文字情報信号の受信をオフしたりして、省電力のリモコン装置を実現できる。
【００３５】
また、本発明において、上記予め定めた省電力モード実行条件を満たしたときに前記表示部に文字情報の表示が行われているときには、省電力モード実行部が、文字情報受信部の電源をオフする動作の代わりに、文字情報受信部の電源のオンとオフを繰り返し行う動作と、文字情報受信部を通常の消費電力で稼動する通常モードと低消費電力で稼動するスリープモードまたはスタンバイモードとを繰り返し行う動作のいずれか一方の繰り返し動作を行う構成においては、予め定めた省電力モード実行条件を満たして省電力モードの実行が好ましいときには、文字情報受信部の電源のオンとオフの繰り返し動作や、文字情報受信部の通常モードとスリープモードまたはスタンバイモードの繰り返し動作によって、文字情報受信部の省電力稼動を実現できる。
【００３６】
文字情報信号のうち、緊急を要する災害文字情報信号等の信号は、例えば１０分といった設定発信時間連続して放送局から発信されるので、上記繰り返し動作を行う構成においては、文字情報受信部の電源オンオフの周期（時間）や通常モードとスリープモードまたはスタンバイモードとを切り替える時間を適宜設定することにより、省電力モードの動作状態時であっても災害情報等の緊急情報は受信することができる。また、定期的に内容を更新できるので表示のレスポンスを上げることができる。そして、この際、表示部の文字情報表示を非表示状態とする動作が行われていない、または、この非表示動作の解除が行われれば、緊急情報表示は行える。
【００３７】
したがって、上記のように、省電力モードの動作状態時に、文字情報受信部の電源オンオフを設定周期で繰り返したり、文字情報受信部の稼動の消費電力制御を行ったりする構成においては、緊急文字情報等の受信と表示により利用者の安全への対処を促す動作を行え、省電力モードの動作状態時に、文字情報受信部の電源をオフしてしまうよりも、さらにリモコン装置の利便性を向上させることができる。
【００３８】
なお、上記省電力モード実行条件を、給湯装置の使用停止後から予め定めた設定時間が経過したこととしたり、給湯装置の湯張り動作の終了後から予め定めた設定時間が経過したこととしたり、給湯装置の追い焚き動作の終了後から予め定めた設定時間が経過したこととしたり、給湯装置の保温動作の終了後から予め定めた設定時間が経過したこととしたり、リモコン装置のスイッチの操作が行われない状態が予め定められた設定時間経過したときとすることにより、文字情報の表示の必要性が低いときや表示の必要性がないときに、的確に上記省電力モードを実行でき、省電力を実現できる。
【００３９】
さらに、本発明において、給湯装置の使用停止後から予め定めた設定時間が経過して、リモコン装置が省電力モードの動作状態と成している状態のときに給湯装置の使用が行われたときには、省電力モードの動作状態を解除する構成によれば、給湯装置の使用によって、文字情報表示の必要性が高くなったときに省電力モードの動作状態を解除するので、利用者のニーズに適応した、より利便性が高いリモコン装置を実現できる。
【００４０】
さらに、本発明において、給湯装置の使用停止後から予め定めた設定時間が経過してリモコン装置が省電力モードの動作状態と成している状態のときに、給湯関連設定のスイッチと給湯装置の運転関連操作のスイッチの少なくとも一方の操作が行われたときには、省電力モードの動作状態を解除する構成によれば、給湯関連設定スイッチと運転関連操作スイッチの少なくとも一方の操作に応じて、文字情報表示の必要性が高くなったときに省電力モードの動作状態を解除するので、利用者のニーズに適応した、より利便性が高いリモコン装置を実現できる。
【００４１】
さらに、本発明において、給湯装置の遠隔操作を可能状態としたり可能状態を解除したりする運転スイッチ、浴槽の湯張り動作を行う自動スイッチ、文字情報の表示と非表示を選択する文字放送スイッチのそれぞれについて、オフ操作が行われたときに省電力モードの動作状態とし、オン操作が行われたときに省電力モードの動作状態を解除する構成によれば、上記スイッチのオフ操作が行われて文字情報の表示の必要性が低いときや表示の必要性がないときには、省電力モードの動作状態として、リモコン装置の省電力を実現できる。
【００４２】
また、これらの発明は、運転スイッチ、自動スイッチ、文字放送スイッチ等の、オン操作が行われたときに省電力モードの動作状態を解除することにより、文字情報表示の必要性が高くなったときに省電力モードの動作状態を解除するので、利用者のニーズに適応した、より利便性が高いリモコン装置を実現できる。
【００４３】
また、本発明において、省電力モードの動作状態時には、文字情報受信部の電源のオンとオフを繰り返し行う動作と、文字情報受信部を通常の消費電力で稼動する通常モードと低消費電力で稼動するスリープモードまたはスタンバイモードとを繰り返し行う動作のいずれか一方の繰り返し動作を行う構成によれば、前記の如く、文字情報受信部の電源オンオフの周期（時間）や通常モードとスリープモードまたはスタンバイモードとを切り替える時間を適宜設定することにより、省電力モードの動作状態時であっても災害情報等の緊急情報は受信できる。
【００４４】
したがって、この際、表示部の文字情報表示を非表示状態とする動作が行われていない、または、この非表示動作解除が行われれば、緊急情報表示は行うことができるので、緊急文字情報等の受信と表示により利用者の安全への対処を促す動作を行え、リモコン装置の利便性を向上させることができる。
【００４５】
さらに、本発明において、人の浴槽への入浴を検出する人検知センサのセンサ出力や浴槽水位検出手段により検出される浴槽水位の下降や上昇の情報に基づき、人が浴槽から出たこと検出してから予め定めた省電力移行設定待機時間が経過したときにリモコン装置を省電力モードの動作状態とし、該省電力モードの動作状態のときに人の浴槽への入浴を検出したときには省電力モードの動作状態を解除する構成によれば、利用者の入浴状況に対応させて省電力モードの動作状態の実行と解除を行えるので、リモコン装置の省電力が実現できると共に、浴槽に浸かっているときに文字情報の表示を見たいという利用者のニーズに、より一層適応した、より利便性が高いリモコン装置を実現できる。
【００４６】
さらに、本発明において、人の浴室への入室を検出する人検知センサのセンサ出力やマイクの集音情報に基づき、人が浴室から出たことを検出してから予め定めた省電力移行設定待機時間が経過したときにリモコン装置を省電力モードの動作状態とし、該省電力モードの動作状態のときに人の浴室への入浴を検出したときには省電力モードの動作状態を解除する構成によれば、利用者が浴室内にいるか否かの状況に対応させて省電力モードの動作状態の実行と解除を行えるので、リモコン装置の省電力が実現できると共に、浴室にいるときに文字情報の表示を見たいという利用者のニーズに適応した、より利便性が高いリモコン装置を実現できる。
【００４７】
なお、マイクの集音情報に基づき、人が浴室に入室したことや浴室から出たことを検出する構成は、人の話し声や、シャワーの音を集音して人が浴室いることを検出することができるので、この検出タイミングと音の集音が検出されなくなったときのタイミングとの両方に基づいて、人の浴室からの退室と人の浴室への入室を判断できる。例えば、人が浴槽に浸かっているときは静かなので、マイクの集音はないが、浴室内で集音が開始されてから最初に集音が無くなったときには浴槽に入浴していると判断でき、その後、浴室内での集音が行われ、再び、集音が無くなったときには、人が浴室から出たと判断できる。
【００４８】
また、上記のように、人が浴室から出たり、浴槽から出たりすることが検出されてから予め定めた省電力移行設定待機時間が経過したときに省電力モードの動作状態とする構成において、省電力移行設定待機時間は適宜設定されるものであり、ゼロとすることもできる。省電力移行設定待機時間をゼロに設定した場合は、人が浴室から出たり、浴槽から出たりすることが検出された直後に省電力モードの動作への移行が行われる。
【００４９】
さらに、本発明において、人検知センサの出力に基づき人が台所を含む台所近傍領域から離れたことが検出されてから予め定めた省電力移行設定待機時間が経過したときに省電力モードの動作状態とし、該省電力モードの動作状態のときに人が台所または台所近傍にいることを検出したときには省電力モードの動作状態を解除する構成によれば、利用者が台所やその近傍領域にいるか否かの状況に対応させて省電力モードの動作状態の実行と解除を行えるので、リモコン装置の省電力が実現できると共に、台所にいるときに文字情報の表示を見たいという利用者のニーズに適応した、より利便性が高いリモコン装置を実現できる。
【００５０】
さらに、本発明において、文字情報受信部が災害文字情報信号を受信したときに表示部の文字情報表示が非表示状態のときには、該非表示状態を解除して表示部に前記災害文字情報信号に基づく災害文字情報を表示可能とする構成によれば、省電力モード状態で表示部の文字情報表示が行われていないときでも、災害文字情報を受信したときには確実に災害情報表示を行うことができるので、利用者に安全に対する対処を促すことができる。
【００５１】
さらに、本発明において、文字情報受信部の電源のオンとオフや、通常モードとスリープモードまたはスタンバイモードとを予め定めた時間で交互に繰り返す動作中に前記文字情報受信部が文字情報信号のうち災害に関する災害文字情報信号を受信したときには、該災害情報信号に基づく災害情報を予め定めた表示時間表示する指令を行う構成によれば、災害文字情報を表示して、利用者に安全に対する対処を促すことができ、かつ、その後の所定（設定）時間後または所定回数表示後には文字情報表示を非表示状態とすることで、より一層省電力効果が高いリモコン装置を実現できる。
【００５２】
さらに、本発明において、文字情報受信部の電源のオンオフ動作を予め定めたオンオフ繰り返し設定時間経過しても前記文字情報受信部による文字情報信号の受信が行われないときには前記文字情報受信部の電源を予め定めた電源オフ設定時間オフさせる構成によれば、例えば文字情報の放送が終了した以降は文字情報受信部の電源を電源オフ設定時間の間、オフすることができるので、より確実に省電力効果を発揮できるリモコン装置を実現できる。
【００５３】
さらに、本発明において、給湯関連情報と文字情報とをリモコン装置の表示部に切り替え表示する構成によれば、文字情報を表示する場合は、給湯関連情報を消して表示部の全領域を文字情報の表示面とすることができ、文字情報と給湯関連情報とを併記するものに比べ文字情報の表示面積を大きくすることができることとなる。このことにより、文字情報の文字を大きく表示でき、利用者は離れた位置からでも文字情報を支障なく読むことができる。
【発明を実施するための最良の形態】
【００５４】
以下、本発明の実施の形態を図面に基づき説明する。図１は本発明に係る実施形態例のリモコン装置１と給湯装置２７との配置例を示しており、この実施形態例において、リモコン装置１は浴室に設置されている風呂用のリモコン装置である。
【００５５】
給湯装置２７は浴室２８の外（建物の外）に配置され、浴室２８内には浴槽２６が設置され、給湯装置２７と浴槽２６は後述する図１１に示されるように、追い焚き循環路２５の戻り管２３と往管２４によって配管接続されている。リモコン装置１は浴槽２６の近くの浴室側壁３０に設置されるが、その設置位置は浴槽２６内からリモコン装置１の表示画面が見易い位置となっている。
【００５６】
給湯装置２７は浴槽２６を含む給湯先への給湯機能と、浴槽２６への自動湯張り機能と、湯張りした浴槽２６の湯の保温機能と、浴槽内湯水の追い焚き機能とを具備するもので、リモコン装置１と信号接続されている。この実施形態においては、２芯の信号線を用いてリモコン装置１は給湯装置２７の回路、つまり、給湯装置２７の燃焼制御回路に接続されている。なお、図１において、符号２９は浴室２８の浴室入口を示しており、この浴室入口２９には開閉式又はスライド式の戸が設けられている。
【００５７】
図２は、本発明に係るリモコン装置の一実施形態例の外観構成を示すもので、筐体ケース３１の表面側には表示画面３２と、マイク３３と、スピーカ３４と、運転スイッチ３５と、自動スイッチ３６と、文字放送スイッチ３７と、給湯関連設定スイッチ３８とが設けられている。
【００５８】
本実施形態例においては、文字放送の文字情報と給湯関連情報を切り替え表示する表示部に表示画面３２が設けられている。表示画面３２は、例えば、液晶表示器（ＬＣＤ）や、蛍光管表示（ＶＦＤ）、発光ダイオード（ＬＥＤ）、ドットマトリックス表示、ブラウン管等の適宜の画面によって形成されるものであり、いずれの画面を適用してもよい。給湯関連情報とは、例えば、給湯設定温度、湯張り設定温度、湯張り設定水位、風呂温度、湯張り水位、給湯検出温度等の給湯機能の動作と、湯張り機能や保温機能の動作とにおいて必要な、各種設定値と各種センサ検出値の情報であり、文字情報は、例えば災害文字情報やニュース、スポーツ等の情報である。
【００５９】
マイク３３とスピーカ３４は、通常は他のリモコン装置との間で会話を行なうときに使用されるもので、例えば、入浴中にリモコン装置と台所に設置されている台所リモコン装置との間で、入浴している者が台所にいる者に浴室にタオルを持ってきてもらう等の要請を行うときの会話に使用される。
【００６０】
運転スイッチ（給湯スイッチ）３５はスイッチオンとすることにより、リモコン装置１の回路を動作可能な状態にし、スイッチオフとすることにより、回路動作を停止状態とするものである。つまり、運転スイッチ３５は、オン操作によって給湯装置２７の遠隔操作を可能状態に設定し、オフ操作によってその遠隔操作の可能状態を解除するものであり、給湯装置２７の給湯機能の動作はこの運転スイッチ３５がオンの状態で行われる。
【００６１】
自動スイッチ３６は湯張り動作から保温動作にかけての一連の動作の開始と停止を指令するものであり、スイッチオンによりその動作が開始し、スイッチオフの状態で動作停止状態となる。なお、本実施形態例では、上記のように、自動スイッチ３６のオン操作によって給湯装置２７の浴槽２６への湯張り動作と該湯張り動作の後の浴槽２６内の湯の保温動作とを行うようにしたが、湯張り動作のみを行う構成とすることもできる。
【００６２】
文字放送スイッチ３７は文字放送の表示（文字情報の表示）と非表示とを指令するものであり、スイッチオンにより、文字情報の表示開始となり、スイッチオフにより表示停止となる。本実施形態例では、文字放送スイッチ３７がオフの場合、通常は（後述する省電力モードの動作状態時や災害文字情報を強制的に表示させるときを除くときは）、表示画面３２に、前記給湯関連情報の表示が行われる。
【００６３】
給湯関連設定スイッチ３８は、給湯設定温度、湯張り設定温度、風呂温度、湯張り水位等の給湯機能と湯張り機能と、保温時間等の保温機能の動作を行なう上で必要な設定値を指定入力するために使用される各種のスイッチ群である。
【００６４】
この給湯関連設定スイッチ３８のスイッチ群には、図示されていない追い焚きスイッチが設けられており、追い焚きスイッチは、オン操作により浴槽２６内の湯水の追い焚きを行うスイッチである。この追い焚き指令に従い、給湯装置２７の浴槽２６内の湯水の追い焚きが終了すると（浴槽２６内の湯水温が予め定めた追い焚き設定温度に達すると）追い焚きの動作は自動的に終了する。また、追い焚き動作中に追い焚きスイッチのオフ操作をすると、追い焚き動作の途中で追い焚きの動作が停止される。
【００６５】
次に、このリモコン装置１を用いて行なう給湯装置２７の動作の一例を図１１に示す給湯装置２７の模式構成に基き簡単に説明する。なお、図１１の構成は本出願人が特願平７−１２９８３１号において開示した構成のもので、現時点においては既に公知となっているので、給湯装置自体の構成説明は省略する。
【００６６】
図１１において、給湯装置２７の制御装置３に風呂用のリモコン装置１と台所リモコン装置２とが信号接続されているが、台所用のリモコン装置２は台所に設置されるものであり、この台所リモコン装置２には本実施形態例のリモコン装置１が備える文字放送の受信機能の回路（受信モジュールの回路）や、文字放送の文字情報を表示する構成は設けられていないが、それ以外の構成はリモコン装置１，２は同じである。（勿論、台所用のリモコン装置２にもこれらの文字放送に関する機能を設けることは可能である。）なお、給湯装置２７の各機能の動作は制御装置３の制御によって行なわれる。
【００６７】
給湯装置２７の給湯機能、湯張り機能、保温機能等の各機能の動作は公知であるが、リモコン装置の説明に関連するので以下に、簡単に説明する。給湯機能の動作は、リモコン装置１又は台所リモコン装置２の運転スイッチ３５をオンし、この状態で給湯管路１１の給湯先に設けられている給湯栓（図示せず）を開くことにより開始する。給湯栓の開により、制御装置３は流量センサ４により給水管路５を通水する最低作動流量以上の流量を検出すると、給湯バーナ１０を燃焼し、給湯熱交換器７を通る水を加熱して湯を作成し、その湯を給湯管路１１を通して給湯先へ供給する。
【００６８】
この給湯機能の動作では、制御装置３は入水温度センサ６による入水温と、流量センサ４による給湯量と、給湯温度センサ８による給湯温（出湯温）との検出情報に基き、給湯湯温が台所用のリモコン装置２（又は風呂用のリモコン装置１）で設定された給湯設定温度となるようにガス通路９から供給されるガス量を図示されていない比例弁の開弁量によって制御する。給湯動作は給湯先の給湯栓が閉止されることによって終了する。つまり、給湯栓の閉止によって流量センサ４が通水の停止を検出したときに、制御装置３は給湯バーナ１０へのガス供給を遮断し、給湯バーナ１０の燃焼を停止する。
【００６９】
湯張り機能の動作は、前記運転スイッチ３５がオンされている状態で、風呂用のリモコン装置１（又は、台所用のリモコン装置２）の自動スイッチ３６をオンすることにより開始する。そうすると、注湯電磁弁１３が開かれ、前記給湯機能の動作と同様に給湯熱交換器７を通る水は給湯バーナ１０の燃焼加熱により湯となり、その湯は、給湯管路１１から注湯路１４に入り、戻り管２３と往管２４を有して構成される追い焚き循環路２５を通して浴槽２６へ落とし込まれる。
【００７０】
浴槽２６の水位は水位センサ２０としての圧力センサによって検出され、この検出水位が給湯関連設定スイッチ３８によって設定された浴槽の設定水位に達したときに注湯電磁弁１３が閉じられ、湯張り動作が終了する。この湯張りの動作においては、制御装置３は給湯関連設定スイッチ３８によって設定された湯張りの設定温度となるように給湯熱交換器７の給湯湯温を制御する。
【００７１】
自動スイッチ３６による自動運転の動作においては、湯張り機能の動作に引き続き保温機能の動作が行なわれる。この保温機能の動作は、所定の時間間隔で、循環ポンプ２１を短時間起動し、浴槽２６の湯を追い焚き循環路２５を通して循環し、風呂温度センサ１８により浴槽２６の湯温（風呂温度）を検出する。風呂の検出温度が給湯関連設定スイッチ３８で設定された風呂の設定温度よりも許容範囲を外れて低下したときには、循環ポンプ２１を駆動して浴槽２６の湯水を追い焚き循環路２５を通して循環しながら、風呂バーナ１６の燃焼により追い焚き熱交換器１５で加熱し、追い焚きを行う。そして、風呂温度センサ１８の検出温度が風呂の設定温度に達したときに循環ポンプ２１を停止し、風呂バーナ１６の燃焼を停止する。
【００７２】
このように保温機能の動作（保温動作）は湯張りが終了してから所定の時間（例えば４時間）にわたって行なわれる。保温機能と供に保水機能の動作を行う給湯装置２７においては、水位センサ２０によって浴槽の水位が監視され、浴槽の水位が設定水位から許容範囲を越えて低下したときには注湯電磁弁１３が開けられて給湯熱交換器７側から設定水位に達する不足分の湯量が補充され、浴槽水位を設定水位に維持する保水動作が行なわれる。
【００７３】
追い焚き機能による浴槽湯水の追い焚き動作は、前記運転スイッチ３５がオンされている状態で、リモコン装置１（又は、台所用のリモコン装置２）の追い焚きスイッチをオンすることにより開始する。追い焚きの動作は、循環ポンプ２１が駆動されて浴槽２６の湯水が追い焚き循環路２５を通して循環されるもので、この循環水が流水スイッチ２２で検知されたときに風呂バーナ１６が燃焼駆動され、追い焚き熱交換器１５を通るときに循環湯水を加熱昇温して浴槽湯水の追い焚きを行う動作である。
【００７４】
この追い焚き動作は風呂温度センサ１８が風呂温度を検出し、その検出温度が風呂設定温度に達したときに風呂バーナ１６の燃焼停止と循環ポンプ２１の停止とが行なわれて終了する。
【００７５】
なお、図１１において、１２は流量センサ、２２は流水スイッチ、１９は循環ポンプ２１の吐出口と追い焚き熱交換器１５の入水口を連通接続する管路、１７は風呂バーナ１６へのガス通路をそれぞれ示している。
【００７６】
図３は、本発明のリモコン装置１の第１実施形態例における制御構成を示すもので、筐体ケース３１（図２参照）の内部に、文字情報受信部（文字放送受信モジュール）４０、表示制御部４１、災害情報受信時動作制御部５７、画面切替表示制御部４２、文字情報表示指令部４５、給湯関連情報表示指令部５９、省電力モード実行部５３、電源オンオフ制御回路５４、非表示モード制御部５６の回路が回路基板に形成されて収容されている。
【００７７】
本実施形態例のリモコン装置１は、給湯関連情報の表示と文字情報の表示の両方を行うものであり、前記文字放送スイッチ３７のオン信号は文字情報表示指令部４５に加えられ、文字放送スイッチ３７のオフ信号は給湯関連情報表示指令部５９に加えられる。
【００７８】
文字情報受信部４０は、文字放送を受信するために必要な、アンテナ、復調回路、復調回路で復調された信号から文字情報信号を分離する回路等を有しており、これらの回路構成は、特許文献１、３等に示されているように、公知であるので、その回路構成の説明は省略する。
【００７９】
なお、文字情報受信部４０には、災害情報判断部３９が設けられている。文字放送には、地震や津波などの緊急を要する災害情報を放送する際に、例えば情報信号の先頭に特定の信号（災害情報であることを示す符号）を付して送信される災害文字情報信号があり、この災害文字情報信号の送受信構成については、特許文献１等に示されているように、公知であるので、その詳細説明は省略するが、上記特定の信号に基づき、災害情報判断部３９は前記文字情報信号のうち災害に関する災害文字情報信号を区別判断する。
【００８０】
文字情報受信部４０で受信された文字情報信号は表示制御部４１に加えられる。また、災害情報判断部３９が災害文字情報信号を判断したときには、その判断情報は文字情報表示指令部４５と災害情報受信時動作制御部５７とに加えられる。
【００８１】
文字情報表示指令部４５は、例えば文字放送スイッチ３７のオン操作に基づいて、前記文字情報受信部４０で受信された文字情報信号に基づく文字情報の表示画面３２への表示を指令する。この指令は、画面切替表示制御部４２に加えられ、画面切替表示制御部４２を介して表示制御部４１に加えられる。
【００８２】
なお、文字情報表示指令部４５は、文字情報が災害情報に関する情報である場合、他の文字情報に優先して災害文字情報の表示を指令する。つまり、文字情報表示指令部４５は、前記災害情報判断部３９が災害文字情報信号を判断したときには、その判断情報を受けて、災害文字情報の表示を指令する。
【００８３】
給湯関連情報表示指令部５９は、前記給湯関連情報の表示を指令するものであり、文字放送スイッチ３７のオフ操作信号を受けて、給湯関連情報の表示を指令する。この指令は画面切替表示制御部４２に加えられ、画面切替表示制御部４２を介して表示制御部４１に加えられる。
【００８４】
画面切替表示制御部４２は、前記給湯関連情報と前記文字情報との相互の画面切り替えとその切り替えタイミングを指令制御するものである。前記文字情報表示指令部４５からの文字情報表示の指令を受けたときに、表示部の表示画面３２に給湯関連情報の表示が行われているときには、給湯関連情報の表示から文字情報表示への切り替えを指令し、その逆に、給湯関連情報表示指令部５９からの給湯関連情報表示の指令を受けたときに、表示部の表示画面３２に文字情報の表示が行われているときには、文字情報の表示から給湯関連情報表示への切り替えを指令する。これらの指令は前記表示制御部４１に加えられる。
【００８５】
表示制御部４１は、メモリ４３を内蔵しており、このメモリ４３に、前記文字情報受信部４０から供給される文字情報と、給湯関連設定スイッチ３８によって設定される給湯設定温度、湯張り設定温度、風呂の設定温度（風呂設定温度）、浴槽設定水位（風呂設定水位）等の設定値（給湯関連事項の設定値）や、入水温度センサ６、給湯温度センサ８、風呂温度センサ１８等の給湯関連温度センサ群のセンサ検出値や、水位センサ２０で検出される風呂の検出水位の値等の給湯関連情報も記憶保持する。
【００８６】
なお、表示制御部４１は、メモリ４３に、そのメモリ容量の範囲内で上記給湯関連情報と文字情報を、その種類毎に予め定められた記憶領域に記憶保持する。
【００８７】
また、表示制御部４１は、前記文字情報表示指令部４５の指令に応じ、前記文字情報信号に基づく文字情報を表示画面３２に表示する。表示制御部４１は、表示画面３２に文字情報を表示する場合、文字情報の先頭から末尾までの全体の文章を一画面に一括表示することも可能であるが、この実施形態例では、文字を大きく表現するために、スクロール方式によって、文字情報の文章が表示画面３２の一端側から他端側に流れていくような形態で表示制御する構成と成している。
【００８８】
さらに、表示制御部４１は、給湯関連情報表示指令部５９の指令に応じ、前記給湯関連情報の表示を行う。
【００８９】
省電力モード実行部５３は、表示画面３２に文字情報の表示が行われているときに、運転スイッチ３５によるスイッチ操作に対応させて、リモコン装置１を省電力モードの動作状態としたり、その省電力モードの動作状態の解除を行ったりするものである。省電力モード実行部５３は、表示制御部４１の制御情報に基づき、表示画面３２に文字情報の表示が行われているかどうかを判断し、以下に示すような制御を行う。
【００９０】
つまり、省電力モード実行部５３は、前記表示画面３２に文字情報の表示が行われているときに前記運転スイッチ３５のオフ操作が行われたときには、リモコン装置１を以下に示す省電力モードの動作状態とし、該省電力モードの動作状態のときに運転スイッチ３５のオン操作が行われたときには、省電力モードの動作状態を解除する。
【００９１】
第１実施形態例において、省電力モードの動作状態は、前記文字情報受信部４０の電源のオンとオフを予め定めた時間で交互に繰り返す繰り返し動作と、前記表示画面３２の文字情報表示を非表示状態とする動作の両方を行うことによりリモコン装置１を省電力とする動作状態である。
【００９２】
つまり、省電力モード実行部５３は、電源オンオフ制御回路５４に文字情報受信部４０の電源のオンとオフの繰り返し動作の指令を行い、非表示モード制御部
５６に表示画面３２の文字情報表示を非表示状態とする動作の指令を行う。
【００９３】
電源オンオフ制御回路５４は、文字情報受信部４０の電源のオンとオフの動作を制御するものであり、メモリ（図示せず）に文字情報受信部４０の電源のオンとオフの動作制御のためのオンオフ設定周期を格納し、このオンオフ設定周期に基づいて、予め定めた時間で文字情報受信部４０の電源のオンとオフの動作制御を行う。
【００９４】
図５（ａ）には、電源オンオフ制御回路５４による、文字情報受信部４０の電源オンオフ制御の一例が示されている。この例では、文字情報受信部４０の電源を１分オンした後、５分オフする動作を上記オンオフ設定周期に基づく時間制御動作としており、電源オンオフ制御回路５４は、省電力モード実行部５３から指令を受けたときには、図５（ａ）に示すように、文字情報受信部４０の電源のオンとオフ動作を交互に繰り返し制御する。
【００９５】
非表示モード制御部５６は、表示画面３２の文字情報表示を非表示状態とする。この動作は、例えば、表示画面３２の文字情報表示のための回路駆動の電源をオフして、つまり、例えば表示画面３２の文字情報表示に関係する液晶表示器や蛍光表示管等の回路駆動の電源をオフして、表示画面３２に文字情報表示が行われない、非表示状態（非表示モードの動作状態）とする。
【００９６】
なお、本実施形態例では、この非表示モードの動作状態のときでも、例えば、運転スイッチ３５のオンオフの表示や、給湯装置２７により燃焼運転が行われているときの燃焼表示等、予め設定された必要最低限の表示は、表示画面３２に表示するようにしている。
【００９７】
なお、本実施形態例では、災害情報受信時動作制御部５７を設けており、非表示モード制御部５６により表示画面３２の文字情報表示を非表示状態としているときでも、前記文字情報受信部４０が文字情報信号のうちの災害に関する災害文字情報信号を受信したとき（災害情報判断部３９が災害文字情報信号を受信したことを判断したとき）には、災害情報受信時動作制御部５７が、前記表示画面３２の文字情報表示の非表示状態を解除する指令を非表示モード制御部５６に加える。
【００９８】
そうすると、前記文字情報表示指令部４５から災害文字情報表示の指令を受けた表示制御部４１は、表示画面３２に前記災害文字情報信号に基づく災害文字情報を表示させることができるようになる。
【００９９】
この災害文字情報の表示は、災害情報受信時動作制御部５７に予め与えられている設定表示時間（例えば１分）だけ行われ、その後は、次の災害文字情報信号が受信されるまで、表示画面３２の文字情報表示が非表示状態となる。
【０１００】
なお、本実施形態例において、電源オンオフ制御回路５４がオンのときに受信したデータはメモリ４３に記憶され、この記憶データが表示されるので、電源オンオフ制御回路５４がオンオフ動作を繰り返していても（つまり、文字情報受信部４０の電源がオフの時があっても）、文字情報の表示は、例えば上記設定表示時間、続けられる。
【０１０１】
本実施形態例によれば、文字情報表示が行われているときに運転スイッチ３５のオフ操作が行われて、文字情報の表示の必要性が低いときや表示の必要性がないときには、省電力モードの動作状態として、リモコン装置１の省電力を実現でき、また、運転スイッチ３５のオン操作が行われたときに省電力モードの動作状態を解除することにより、文字情報表示の必要性が高くなったときに省電力モードの動作状態を解除するので、利用者のニーズに適応した、利便性が高いリモコン装置を実現できる。
【０１０２】
また、本実施形態例によれば、前記の如く、文字情報受信部４０の電源オンオフの周期を適宜設定することにより、省電力モードの動作状態時であっても、災害情報等の緊急情報は受信し、そのとき、災害情報受信時動作制御部５７の制御に基づいてその情報を表示することができるので、緊急文字情報等の受信と表示により利用者の安全への対処を促す動作を行え、リモコン装置の利便性を向上させることができる。
【０１０３】
さらに、本実施形態例によれば、災害情報受信時動作制御部５７の制御に基づいて災害文字情報を表示する際も、文字情報受信部４０が受信したデータをメモリ４３に記憶して表示するので、この災害文字情報表示中に文字情報受信部４０の電源オンの状態を継続して行うわけではなく、文字情報受信部４０の電源のオンオフ動作は繰り返し行うので、リモコン装置１のより一層の省電力化を図ることができる。
【０１０４】
次に、本発明に係るリモコン装置の第２実施形態例について説明する。第２の実施形態例は、図４に示す制御構成を有しており、図３の電源オンオフ制御回路５４と災害情報受信時動作制御部５７の代わりに、モード切り替え制御部５５と、災害情報表示指令部５８を設けている。
【０１０５】
第２の実施形態例は、上記第１実施形態例と同様に、前記表示画面３２に文字情報の表示が行われているときに前記運転スイッチ３５のオフ操作が行われたときに、リモコン装置１を省電力モードの動作状態とし、該省電力モードの動作状態のときに運転スイッチ３５のオン操作が行われたときには、省電力モードの動作状態を解除するが、以下に示すように、省電力モードの動作状態を第１実施形態例と異にしている。
【０１０６】
つまり、第２の実施形態例において、省電力モードの動作状態は、前記文字情報受信部４０を通常稼動用の消費電力で稼動する通常モードと文字情報受信部を前記通常稼動用の消費電力より小さい低消費電力で稼動するスリープモードとを予め定めた時間で交互に繰り返す繰り返し動作と、前記表示画面３２の文字情報表示を非表示状態とする動作の両方を行うことによりリモコン装置１を省電力とする動作状態である。
【０１０７】
つまり、第２実施形態例において、省電力モード実行部５３は、省電力モードの動作状態とするときには、モード切り替え制御部５５に上記モード切り替えの繰り返し動作の指令を行い、非表示モード制御部５６に表示画面３２の文字情報表示を非表示状態とする動作の指令を行う。
【０１０８】
モード切り替え制御部５５は、文字情報受信部４０を通常稼動用の消費電力で稼動する通常モードと、文字情報受信部４０を前記通常稼動用の消費電力より小さい低消費電力で稼動するスリープモードとを、予め定めた時間で交互に繰り返すものである。モード切り替え制御部５５はメモリ（図示せず）を有し、このメモリに、上記モード切り替え制御のためのモード切り替え設定周期を格納し、このモード切り替え設定周期に基づく時間で文字情報受信部４０の消費電力を通常モードとスリープモードとに交互に切り替える動作制御を行う。
【０１０９】
図５（ｂ）には、モード切り替え制御部５５による、文字情報受信部４０の消費電力のモード切り替え制御の一例が示されている。この例では、文字情報受信部４０を通常モードで１分稼動させた後、スリープモードで５分稼動する動作を行うようにしている。モード切り替え制御部５５は、省電力モード実行部５３から指令を受けたときには、図５（ｂ）に示すように、文字情報受信部４０の消費電力を通常モードとスリープモードとに交互に繰り返し制御する。
【０１１０】
なお、第２実施形態例では、モード切り替え制御部５５を設けて通常モードとスリープモードとを繰り返す動作を行っているが、モード切り替え制御部５５を設ける構成において、その制御切り替えは、スリープモードの代わりにスタンバイモードを適用することもできる。
【０１１１】
なお、第２の実施形態例において、非表示モード制御部５６により表示画面３２の文字情報表示を非表示状態としているときでも、前記文字情報受信部４０が文字情報信号のうち災害に関する災害文字情報信号を受信したとき（災害情報判断部３９が災害文字情報信号を受信したことを判断したとき）には、災害情報表示指令部５８が、前記表示画面３２の文字情報表示の非表示状態を解除する（例えば情報表示のための電源をオンする）指令を非表示モード制御部５６に加える。
【０１１２】
そうすると、前記文字情報表示指令部４５から災害文字情報表示の指令を受けた表示制御部４１は、表示画面３２に前記災害文字情報信号に基づく災害文字情報を表示させることができるようになる。
【０１１３】
この災害文字情報の表示に関し、第２実施形態例でも上記第１実施形態例と同様に、文字情報受信部４０が受信したデータを表示制御部４１がメモリ４３に記憶し、表示する。したがって、スリープモード（またはスタンバイモード）の動作時は通常稼働時の消費電力より小さい低消費電力での稼動となるが、災害文字情報の表示は例えば設定表示時間（例えば１分）行われ、その後、次の災害文字情報信号が受信されるまで、表示画面３２の文字情報表示は非表示状態となる。
【０１１４】
第２の実施形態例も、上記構成および動作により、第１実施形態例と同様の効果を奏することができる。また、第１実施形態例のように、電源オンオフ制御回路５４を設ける場合、その分だけ、リモコン装置１を構成する回路点数が多くなるが、モード切り替え制御部５５は、文字情報受信部４０を構成するために予め設けられるマイコン回路とコマンドを用いて制御できる制御部であるため、第２実施形態例は、より少ない回路点数でリモコン装置１の省電力を実現できる。
【０１１５】
次に、本発明に係るリモコン装置の第３実施形態例について説明する。第３実施形態例は、図３の破線に示すように、自動スイッチ３６のオンオフ操作に基づいて、省電力モード実行部５３が省電力モードの動作状態の実行と解除を行うようにしているが、それ以外の構成は、上記第１実施形態例と同様である。
【０１１６】
つまり、第３実施形態例は、前記表示画面３２に文字情報の表示が行われているときに前記自動スイッチ３６のオフ操作または保温動作解除による自動オフ（保温が設定保温時間行われた後の自動オフ）が行われたときに、リモコン装置１を省電力モードの動作状態とし、該省電力モードの動作状態のときに自動スイッチ３６のオン操作が行われたときには、省電力モードの動作状態を解除する。
【０１１７】
この省電力モードの動作状態は、上記第１実施形態例と同様の動作状態であり、また、第３実施形態例においても、災害文字情報信号を受信したときの、災害情報受信時動作制御部５７等による動作は上記第１実施形態例と同様である。
【０１１８】
第３実施形態例は、以上のように構成され、上記動作により第１実施形態例と同様の効果を奏することができる。
【０１１９】
次に、本発明に係るリモコン装置の第４実施形態例について説明する。第４実施形態例は、図４の破線に示すように、第３実施形態例と同様に、自動スイッチ３６のオンオフ操作に基づいて、省電力モード実行部５３が省電力モードの動作状態の実行と解除を行うようにしており、省電力モードの動作状態を、上記第２実施形態例と同様の動作状態としている。また、第４実施形態例においても、災害文字情報信号を受信したときの、災害情報表示指令部５８等による動作は上記第２実施形態例と同様である。
【０１２０】
第４実施形態例は、以上のように構成され、上記動作により第２実施形態例と同様の効果を奏することができる。
【０１２１】
次に、本発明に係るリモコン装置の第５実施形態例について説明する。第５実施形態例は、図６に示すように、省電力モード実行部５３による省電力モードの動作状態の実行と解除を、水位センサ２０により検出される浴槽２６の水位に基づいて行うようにしたことであり、その他の構成は上記第１実施形態例と同様である。つまり、第５実施形態例は、省電力モードの動作状態および、該省電力モードの動作状態のときに災害文字情報信号を受信したときの動作状態が、上記第１実施形態例と同様である。
【０１２２】
第５実施形態例は、水位センサ２０により人が浴槽２６から出ることによる水位下降が検出されてから予め定めた省電力移行設定待機時間（例えば１分）が経過したときに前記表示部に文字情報の表示が行われているときには、省電力モード実行部５３が、省電力モードの動作状態を実行し、該省電力モードの動作状態のときに水位センサ２０により人の浴槽２６への入浴による水位上昇を検出したときには省電力モードの動作状態を解除する。
【０１２３】
なお、省電力移行設定待機時間は、省電力モード実行部５３に設けられているメモリ５２に格納されている。この値はゼロとしてもよく、その場合、人が浴槽２６から出たことが検出されたときに文字情報表示が行われているときには、省電力モード実行部５３が省電力モードの動作状態を実行する。
【０１２４】
省電力モード実行部５３には、人が浴槽２６に入ったとき（入浴）と出たとき（出浴）を水位変動によって検出するための水位変動の判定基準値が与えられてメモリ５２に格納されている。入浴検知の判定基準値としては、例えば、基準時間（例えば２０秒間）に浴槽水位の上昇が基準値（例えば３ｃｍ）以上という判定値で与えられ、また、出浴検知の判定基準値としては、例えば、基準時間（例えば２０秒間）に浴槽水位の下降が基準値（例えば３ｃｍ）以上という判定値で与えられる。これらの基準時間や基準値もメモリ５２に格納されている。
【０１２５】
省電力モード実行部５３は、時計機構（図６の例ではタイマ４４）により、水位センサ２０の水位検出情報に基づき水位の変動が生じたときにタイマ４４にタイマ動作を開始させ、基準時間内に水位の変動量が基準値に達しているか否かを判断し、水位上昇の変動量が水位上昇の基準値に達したときには人が浴槽２６に入浴したものと判断する。一方、水位下降の変動量が水位下降の基準値に達したときには人が浴槽２６から出浴したものと判断する。
【０１２６】
そして、省電力モード実行部５３は、人が浴槽２６から出たと判断してから前記省電力移行設定待機時間が経過したときに前記表示部の表示画面３２に文字情報の表示が行われているときには、省電力モードの動作状態を実行し、該省電力モードの動作状態のときに、人の浴槽２６への入浴を判断したときには省電力モードの動作状態を解除する。
【０１２７】
また、文字情報受信部４０が災害文字情報信号を受信したときは、上記第１実施形態例と同様に、災害情報受信時動作制御部５７の制御に基づき、表示画面３２に災害文字情報を設定表示時間表示させる動作が行われる。
【０１２８】
この第５実施形態例は上記第１実施形態例と同様の効果を奏することができる。また、第５実施形態例においては、利用者の入浴状況に対応させて省電力モードの動作状態の実行と解除を行えるので、リモコン装置１の省電力が実現できると共に、浴槽２６に浸かっているときに文字情報の表示を見たいという利用者のニーズに、より一層適応した、より利便性が高いリモコン装置を実現できる。
【０１２９】
次に、本発明に係るリモコン装置の第６実施形態例について説明する。第６実施形態例は、図１に示されるように、浴槽２６の上方を検出領域とする人検知センサ４６を浴室側壁３０等に設置している。
【０１３０】
第６実施形態例は、人の浴槽２６への入浴と出浴とを、第５実施形態例においての水位センサ２０による水位検出情報に代えて、人検知センサ４６により検出し、図６の破線で示すように、省電力モード実行部５３が、人検知センサ４６検出信号（検知信号）によって省電力モードの動作状態の実行と解除とを指令するものであり、それ以外の構成は前記の第５実施形態と同じであり、第５実施形態例と同様の効果を奏する。
【０１３１】
なお、人検知センサ４６は、例えば遠赤外線センサによって構成され、人から放射される赤外線を感知して入浴と、出浴を検出（感知）する。省電力モード実行部５３は、人検知センサ４６から出浴検出信号を受けたとき、つまり、遠赤外線の変化量の入浴検知のしきい値と比較し、センサ出力がしきい値を下回ったときに浴槽２６から出浴したものと判断し、この判断時から前記省電力移行設定待機時間が経過したときに省電力モードの動作状態を実行する。また、省電力モード実行部５３は、人検知センサ４６から人の入浴検出信号を受けたとき、つまり、前記センサ出力が前記しきい値を越えたときに人が浴槽２６に入浴したものと判断し、省電力モードの動作状態を解除する。
【０１３２】
次に、本発明に係るリモコン装置の第７実施形態例について説明する。第７実施形態例は、図７に示す制御構成を有している。この第７実施形態例は、上記第５実施形態例と同様に、省電力モード実行部５３による省電力モードの動作状態の実行と解除を、水位センサ２０により検出される浴槽２６の水位に基づいて行うようにしているが、それ以外の構成は上記第２実施形態例と同様である。つまり、第７実施形態例は、省電力モードの動作状態および、該省電力モードの動作状態のときに災害文字情報信号を受信したときの動作状態を上記第２実施形態例と同様としている。
【０１３３】
第７実施形態例は、上記構成により、上記第２実施形態例と同様の効果を奏することができると共に、上記第５実施形態例と同様に、人の入浴状況に合わせて省電力モードの実行と解除を図れ、上記第５実施形態例と同様の利便性が高いリモコン装置１を実現できる。
【０１３４】
次に、本発明に係るリモコン装置の第８実施形態例について説明する。第８実施形態例は、上記第６実施形態例と同様に、浴槽２６の上方を検出領域とする人検知センサ４６を浴室側壁３０等に設置し、図７の破線に示すように、省電力モード実行部５３が、人検知センサ４６の検出信号（検知信号）によって省電力モードの動作状態の実行と解除とを指令するものであり、それ以外の構成は前記の第７実施形態例と同じであり、第７実施形態例と同様の効果を奏する。
【０１３５】
次に、本発明に係るリモコン装置の第９実施形態例について説明する。第９実施形態例は、図８に示す制御構成を有している。この第９実施形態例は、予め定めた省電力モード実行条件を満たしたとき、つまり、この実施形態例では、給湯装置２７の使用停止後から予め定めた設定時間が経過したときに前記表示画面３２に文字情報の表示が行われているときには、省電力モード実行部５３が、省電力モードの動作状態を実行し、省電力モードの動作状態のときに給湯装置２７の使用が行われたときには、省電力モードの動作状態を解除する構成としている。
【０１３６】
第９実施形態例は、省電力モードの動作状態の実行と解除とを、上記のように給湯装置２７の使用状況に応じて行うようにした以外は、上記第１実施形態例と同様である。
【０１３７】
第９実施形態例において、省電力モード実行部５３は、流量センサ４の検出信号を取り込み、この検出値がゼロとなってから予め定めてメモリ５２に格納されている設定時間（例えば２０分）が経過したときに前記表示画面３２に文字情報の表示が行われているときには、省電力モードの動作状態を実行する。また、省電力モードの動作状態のときに、流量センサ７の検出値がプラスの値となり、給湯装置２７の使用が行われたと判断されたときには、省電力モードの動作状態を解除する。
【０１３８】
第９実施形態例は、上記第１実施形態例と同様の効果を奏することができる。また、第９実施形態例は、給湯装置２７が長い間使用停止されているときに文字情報を表示するといった無駄を防ぎ、かつ、給湯装置２７の使用によって、文字情報表示の必要性が高くなったときに省電力モードの動作状態を解除するので、利用者のニーズに適応した、利便性が高いリモコン装置を実現できる。
【０１３９】
次に、本発明に係るリモコン装置の第１０実施形態例について説明する。第１０実施形態例は、図９に示す制御構成を有している。この第１０実施形態例は、省電力モードの動作状態の実行と解除とを、第９実施形態例と同様に、給湯装置２７の使用状況に応じて行うようにしており、それ以外の構成は、上記第２実施形態例と同様であり、第２実施形態例と同様の効果を奏することができる。
【０１４０】
なお、上記第９、第１０実施形態例において、省電力モード実行条件は、湯張り関連情報から予め定めた設定時間が経過したこととしてもよい。つまり、例えば、給湯装置２７の前記湯張り動作の終了後や、湯張り開始時や、湯張り終了５分前お知らせ時や、湯張り終了後に浴槽湯水を循環させて残り湯があった場合に行われる追い焚き終了後から予め定めた設定時間が経過したこととしてもよいし、給湯装置２７の前記保温動作の終了後から予め定めた設定時間が経過したこととしてもよいし、追い焚き終了時から予め定めた設定時間が経過したこととしてもよいし、給湯装置２７の運転に関する指令のための操作を行う運転関連操作のスイッチ（例えば運転スイッチ３５や自動スイッチ３６）や給湯装置２７の運転に関する条件設定のための給湯関連設定のスイッチ（給湯関連設定スイッチ３８）の操作が行われない状態が予め定められた設定時間経過したこととしてもよい。各設定時間は適宜設定される。
【０１４１】
また、上記第９、第１０実施形態例において、省電力モード実行部５３は、省電力モードの動作状態のときに給湯装置２７の使用が行われたときに省電力モードの動作状態を解除する代わりに、給湯関連設定スイッチ３８と、自動スイッチ３６等の運転関連操作スイッチの少なくとも一方の操作が行われたときに、省電力モードの動作状態を解除する構成としてもよい。
【０１４２】
この場合も、給湯関連設定スイッチ３８の操作や運転関連操作のスイッチの操作（例えばオン操作）によって、文字情報表示の必要性が高くなったときに省電力モードの動作状態を解除するので、利用者のニーズに適応した、より利便性が高いリモコン装置を実現でき、上記第９、第１０実施形態例と同様の効果を奏することができる。
【０１４３】
なお、本発明は上記の実施の形態例に限定されず、様々な実施の形態を採り得る。例えば、本発明のリモコン装置と信号接続される回路を有する給湯装置の構成は特に限定されるものでなく適宜設定されるものであり、様々な公知の構成を採り得る。例えば、上記実施形態では給湯装置２７はガスを燃料とした装置としたが石油を燃料とした給湯装置でもよいし、電気温水器等でもよい。
【０１４４】
また、上記第６、第８実施形態例では、人検知センサ４６による人の浴槽２６への入浴と出浴の検出に基づいて、省電力モード実行部５３が省電力モードの動作状態の実行と解除とを行うようにしたが、図１に示されるように、浴室入口２９を検出領域とする人検知センサ４７を浴室２８内（又は浴室入口２９の外側）に設置し、この人検知センサ４７によって人の浴室２８への入室と浴室２８からの退室を検出して、省電力モード実行部５３が省電力モードの動作状態の実行と解除とを行うようにしてもよい。
【０１４５】
また、浴室２８内に人が居ることをリモコン装置１のマイク３３の集音の音量によって検出し、この集音情報に基づいて、省電力モード実行部５３が人の浴室２８への入室と退室を検出して、省電力モードの動作状態の実行と解除とを行うようにしてもよい。
【０１４６】
なお、これら人検知センサ４７の検出信号やマイク３３の集音情報に基づいて省電力モード実行部５３による省電力モードの動作状態の実行と解除とを行う構成においても、省電力モードの動作状態は、上記各実施形態例と同様の動作状態を採り得るものであり、また、災害文字情報信号受信時の対応も上記各実施形態例と同様の態様を採り得る。したがって、これらの例においても、省電力モード実行部５３による省電力モードの動作状態の実行と解除の制御以外の構成は、上記第６、第８実施形態例と同様に構成される。
【０１４７】
なお、人検知センサ４７を設ける場合、人検知センサ４７は、前記の人検知センサ４６と同じように遠赤外線センサ等により形成される。
【０１４８】
また、マイク３３の集音情報を検出する構成においては、省電力モード実行部５３には人の浴室利用を判定するための基準音量レベルがメモリ５２に与えられる。マイク３３は浴室内での人の話し声や、シャワー音等の風呂の利用時に発生する音量を集音し、その音量検出信号とメモリ５２から読み出した基準音量レベルとを省電力モード実行部５３が比較回路（図示せず）で比較し、集音音量が基準音量レベルを上回ったときに人が浴室利用をしているものと判断する。
【０１４９】
なお、人が浴槽２６に浸かっているときは静かなので、マイク３３の集音はないが、例えば浴室２８内で集音が開始されてから最初に集音が無くなったときには浴槽２６に入浴していると判断でき、その後、浴室２８内での集音が行われ、再び、集音が無くなったときには、人が浴室２８から出たと判断できる。つまり、マイク３３の集音の検出タイミングと音の集音が検出されなくなったときのタイミングとの両方に基づいて、人の浴室２８からの退室と人の浴室への入室を判断できる。
【０１５０】
上記のように、人検知センサ４７のセンサ出力やマイク３３の集音情報に基づき、人が浴室２８から出たことを検出してから予め定めた省電力移行設定待機時間が経過したときにリモコン装置１を省電力モードの動作状態とし、該省電力モードの動作状態のときに人の浴室２８への入浴を検出したときには省電力モードの動作状態を解除する構成とすると、利用者が浴室２８内にいるか否かの状況に対応させて省電力モードの動作状態の実行と解除を行えるので、リモコン装置１の省電力が実現できると共に、浴室２８にいるときに文字情報の表示を見たいという利用者のニーズに適応した、より利便性が高いリモコン装置を実現できる。
【０１５１】
なお、上記のように、人が浴室２８から出たことが検出されてから予め定めた省電力移行設定待機時間が経過したときに省電力モードの動作状態とする構成において、省電力移行設定待機時間は適宜設定されるものであり、ゼロとすることもできる。省電力移行設定待機時間をゼロに設定した場合は、人が浴室から出たことが検出された直後に省電力モードの動作への移行が行われる。
【０１５２】
さらに、上記各実施形態例では、省電力モード実行部５３は、前記文字情報受信部４０の電源オンオフの繰り返し動作または文字情報受信部４０の消費電力を通常モードとスリープモード（またはスタンバイモード）の間で切り替えるモード切り替え繰り返し動作のいずれかの繰り返し動作と、表示画面３２の文字情報表示を非表示動作とする非表示動作の両方を行うようにしたが、省電力モード実行部５３は、繰り返し動作と非表示動作とのいずれか一方の動作のみを行うようにしてもよい。
【０１５３】
さらに、図１０に示すように、電源遮断回路４８を設け、省電力モード実行部５３は、省電力モード実行条件を満たしたとき、例えば、給湯装置２７の使用停止後から予め定めた設定時間が経過したときに、文字情報受信部４０の電源をオフする動作と、表示画面３２の文字情報表示を非表示状態とする動作の少なくとも一方を行うことによりリモコン装置を省電力モードの動作状態としてもよい。このように、省電力モード実行部５３が、省電力モードの動作状態のときに、文字情報受信部４０の電源をオフするように指令を与えても、リモコン装置１の省電力化を図ることができる。
【０１５４】
このように、電源遮断回路４８を設ける構成においても、省電力モード実行条件は、給湯装置２７の前記湯張り動作の終了後から予め定めた設定時間が経過したこととしてもよいし、給湯装置２７の前記保温動作の終了後から予め定めた設定時間が経過したこととしてもよいし、給湯装置２７の運転に関する指令を操作するための運転関連操作のスイッチ（例えば運転スイッチ３５や自動スイッチ３６）と給湯装置２７の運転に関する条件設定のための給湯関連設定スイッチ３８等のスイッチの操作が行われない状態が予め定められた設定時間経過したこととしてもよい。
【０１５５】
また、図１０に示した例のように、電源遮断回路４８を設ける構成においても、省電力モードの動作状態の解除は、給湯装置２７の使用が開始されたときとしてもよいし、給湯関連設定スイッチ３８や運転関連操作のスイッチの操作が行われたときとしてもよい。
【０１５６】
さらに、上記各実施形態例では、災害情報判断部３９を設けたが、災害文字情報判断部３９は省略することができる。ただし、災害情報判断部３９を設けて上記各実施形態例のように、災害文字情報表示を行うようにすると、文字情報受信部４０の電源がオンのときに、災害文字情報信号を受信したときには、災害情報を優先して表示させることができるので、好ましい。
【０１５７】
さらに、上記実施形態例では、文字放送スイッチ３７のオンオフにより文字情報の表示と非表示とを行う構成とし、スイッチオンにより文字情報の表示開始となり、スイッチオフにより文字情報表示停止となるようにしたが、文字放送スイッチ３７の操作と文字情報表示等との関係は別の態様としてもよい。
【０１５８】
例えば、初めて文字放送スイッチ３７を押すと文字情報表示とラジオ等の音声提供とを行い、次に、文字放送スイッチ３７を押すと文字情報表示のみの表示とを行い、次に、文字放送スイッチ３７を押すとラジオ等の音声提供を行い、次に文字放送スイッチ３７を押すと文字情報と音声提供の両方がオフする動作を行い、文字放送スイッチ３７を押すごとに行われるこれら一連の動作を繰り返し行う構成としてもよい。
【０１５９】
さらに、上記各実施形態例では、表示画面３２は文字情報と給湯関連情報とを切り替え表示する構成とし、文字放送スイッチ３７のオフ操作が行われたときには、表示画面３２に給湯関連情報の表示を行うようにしたが、表示画面３２に文字情報の表示が行われているときに前記文字放送スイッチ３７のオフ操作が行われたときに、リモコン装置１を省電力モードの動作状態とし、省電力モードの動作状態のときに文字放送スイッチ３７のオン操作が行われたときには、省電力モードの動作状態を解除するようにしてもよい。
【０１６０】
この場合、例えば、給湯関連情報の表示操作部を設け、給湯関連情報の表示操作部を操作したときに給湯関連情報の表示を行うようにしたり、給湯関連設定スイッチ３８、自動スイッチ３６の操作が行われたときに給湯関連情報を表示するようにしたりすることができる。
【０１６１】
さらに、上記の実施形態例では、浴槽水位の検出を行う水位センサ２０を圧力センサを用いて構成したが、水面の高さを反射波によって検出したり、フロートの上下移動位置で検出する等、圧力センサ以外の様々な公知の水位検出手段によって構成してもよい。
【０１６２】
さらに、上記各実施形態例では、表示画面３２の文字情報の表示はスクロール方式としたが、例えば、文章の全文を一括表示する方式としたり、文章を区切って表示する方式とする等、スクロール以外の構成でもよい。
【０１６３】
さらに、画面切替表示制御部４２による画面切り替え表示は、上書きによって表示を切り替えるようにしてもよい。
【０１６４】
さらに、上記各実施形態例では、画面切替表示制御部４２を設け、表示画面３２に文字情報と給湯関連情報とを切り替え表示するようにしたが、表示画面３２に、文字情報の表示領域と給湯関連情報の表示領域とを設け、これらの表示領域にそれぞれ対応する情報を表示するようにしてもよい。
【０１６５】
さらに、上記各実施形態例では、文字放送はＦＭ多重文字放送としたが、放送信号に含まれる文字情報信号は、ＡＭ多重文字放送の文字情報信号としてもよいし、ＴＶ多重文字放送の文字情報信号としてもよい。
【０１６６】
さらに、表示部には、文字情報以外に画像情報、ｗｅｂ情報等を表示してもよい。
【０１６７】
さらに、表示画面３２に文字情報を表示する場合に、文字情報の表示領域に文字情報を表示させるのに併せて、給湯燃焼表示と風呂燃焼表示の少なくとも一方を表示するようにしてもよい。この場合、表示は、例えば、給湯燃焼表示ランプの点灯や点滅、風呂燃焼表示ランプの点灯や点滅により行うことができる。また、台所設置のリモコン装置２と風呂設置のリモコン装置１において、それぞれ互いに異なる給湯温度を設定している場合に、いずれの給湯設定温度を優先して給湯燃焼運転を行うのかを、例えば優先ランプの点灯や点滅等の適宜の方法により表示してもよい。
【０１６８】
さらに、ＦＭ文字放送受信部４０は一度受信したニュース等を蓄えるＲＡＭや文字フォントを記憶するＲＯＭと一体のものとしてもよい。
【０１６９】
さらに、上記各実施形態例における、設定時間、しきい値等の設定値は、特に限定されるものでなく適宜設定されるものである。
【０１７０】
さらに、上記実施形態例では、リモコン装置は浴室設置の風呂リモコン装置としたが、本発明のリモコン装置は台所設置の台所リモコン装置２としてもよい。
【０１７１】
この場合、例えば、人が台所を含む台所近傍領域にいるか否かを検出する人検知センサを設け、省電力モード実行部５３が、人検知センサのセンサ出力に基づき、人が前記台所近傍領域から離れたことが検出されてから予め定めた省電力移行設定待機時間が経過したときに前記表示部に文字情報の表示が行われているときには、リモコン装置２を省電力モードの動作状態とし、該省電力モードの動作状態のときに前記人検知センサのセンサ出力に基づき人が前記台所近傍領域にいることを検出したときには省電力モードの動作状態を解除するようにしてもよい。
【０１７２】
なお、省電力モードの動作状態は、例えば、上記各実施形態例のように適宜設定されるものであり、例えば、文字情報受信部４０の電源のオンとオフを予め定めた時間で交互に繰り返すか、文字情報受信部４０を通常稼動用の消費電力で稼動する通常モードと文字情報受信部を前記通常稼動用の消費電力より小さい低消費電力で稼動するスリープモードまたはスタンバイモードとを予め定めた時間で交互に繰り返すか、のいずれか一方の繰り返し動作と、前記表示部の情報表示のための回路駆動の電源をオフして表示画面３２の文字情報表示を非表示状態とする動作との少なくとも一方を行う動作状態とすることができる。
【０１７３】
さらに、上記実施形態例では、リモコン装置１内に文字情報受信部４０を有する構成としたが、文字情報受信部４０は、リモコン装置１内ではなく、給湯装置２７側に設けてもよい。
【図面の簡単な説明】
【０１７４】
【図１】本発明が適用されているリモコン装置１の浴室配置形態を給湯装置２７の配置と供に示す説明図である。
【図２】本発明が適用されているリモコン装置の外観構成例の説明図である。
【図３】第１実施形態例のリモコン装置の回路構成を示すブロック図である。
【図４】第２実施形態例のリモコン装置の回路構成を示すブロック図である。
【図５】文字情報受信部の電源オンオフとモード切り替えの繰り返し動作例を示す説明図である。
【図６】第５実施形態例のリモコン装置の回路構成を示すブロック図である。
【図７】第７実施形態例のリモコン装置の回路構成を示すブロック図である。
【図８】第９実施形態例のリモコン装置の回路構成を示すブロック図である。
【図９】第１０実施形態例のリモコン装置の回路構成を示すブロック図である。
【図１０】その他の実施形態例のリモコン装置の回路構成を示すブロック図である。
【図１１】リモコン装置１が信号接続されて使用される給湯装置の構成説明図である。
【符号の説明】
【０１７５】
１，２  リモコン装置
２０  水位センサ
２６  浴槽
２７  給湯装置
２８  浴室
３２  表示画面
３３  マイク
３５  運転スイッチ
３６  自動スイッチ
３７  文字放送スイッチ
３８  給湯関連スイッチ群
４１  表示制御部
４２  画面切替表示制御部
４６，４７  人検知センサ
５３  省電力モード実行部
５４  電源オンオフ制御回路
５５  モード切り替え制御部
５６  非表示モード制御部
５７  災害情報受信時動作制御部
５８  災害情報表示指令部
【図１】
2006029634.tif 000003
【図２】
2006029634.tif 000004
【図３】
2006029634.tif 000005
【図４】
2006029634.tif 000006
【図５】
2006029634.tif 000007
【図６】
2006029634.tif 000008
【図７】
2006029634.tif 000009
【図８】
2006029634.tif 000010
【図９】
2006029634.tif 000011
【図１０】
2006029634.tif 000012
【図１１】
2006029634.tif 000013